(57)【要約】【課題】圧接端子への圧接作業を容易にし電線の回路数を変更する。【解決手段】圧接コネクタ１は、コネクタハウジング１０とリテーナ２０とを備えて構成され、リテーナ２０のケーブル保持部２１にフラットケーブル４０がその嵌合方向に対して直交する面と平行に保持される。ケーブル保持部２１には、保持したフラットケーブル４０を圧接端子３０に圧接するための端子側開口部２３ａと、保持したフラットケーブル４０の各電線４３のうちの少なくとも１つの電線４３を切断する切断刃９９を挿入するための切断刃挿入開口部２２ｂとが備えられている。フラットケーブル４０を保持したリテーナ２０をコネクタハウジング１０に嵌合するだけで圧接端子３０と電線４３との圧接を容易に行うことができると共に、リテーナ２０で保持したフラットケーブル４０の電線４３を切断して回路数を容易に変更することができる。【選択図】  図１
2004362816.tif 000002
【特許請求の範囲】
【請求項１】
複数の電線を平面状に並設したフラットケーブルと圧接される金属製の複数の圧接端子と、
これら複数の圧接端子を収容する複数の端子収容孔を有するコネクタハウジングと、
このコネクタハウジングに嵌合されると共に嵌合前の状態では前記フラットケーブルを嵌合方向と交差する方向に沿って直線状に保持するリテーナとを備え、
前記複数の圧接端子は、
相手方接続端子と嵌合する嵌合接続部と、この嵌合接続部の基端側に形成され前記電線が挿入されるスリット部を有する圧接部と、これら嵌合接続部及び圧接部の間を連結する端子本体部とを備えて構成され、
前記コネクタハウジングは、
前記相手方接続端子を収容した他のコネクタハウジングと嵌合するハウジング嵌合部と、前記複数の端子収容孔と連通すると共に前記リテーナが嵌合する環状のリテーナ嵌合壁が形成されたリテーナ嵌合部とを備えて構成され、
前記リテーナは、
前記リテーナ嵌合部への嵌合時に前記フラットケーブルをその嵌合方向に対して直交する面と平行に保持するケーブル保持部を備えて構成され、
前記ケーブル保持部は、前記嵌合時に前記リテーナ嵌合部内で前記圧接部に前記電線を挿入し圧接するための端子側開口部と、前記複数の電線のうちの少なくとも１つの電線を前記ケーブル保持部において切断する切断刃を挿入するための切断刃挿入開口部とを備えてなる
ことを特徴とする圧接コネクタ。
【請求項２】
それぞれ対向する一対の前記リテーナ嵌合壁の内壁面と前記ケーブル保持部の側面とには、前記リテーナと前記リテーナ嵌合部との嵌合状態を保持するためのリテーナ係止部が形成され、
前記リテーナ係止部は、前記内壁面及び前記側面のいずれか一方に形成されたリテーナ係止突起と、いずれか他方に形成された前記リテーナ係止突起と係合するリテーナ係止凹部とから構成されている
ことを特徴とする請求項１記載の圧接コネクタ。
【請求項３】
前記複数の圧接端子の端子本体部は、前記嵌合接続部及び前記圧接部の間を両者が同一直線上に並ばないように連結するものであることを特徴とする請求項１又は２記載の圧接コネクタ。
【請求項４】
前記コネクタハウジングと前記リテーナとの嵌合部分に形成され両者を前記電線と前記圧接部との圧接部分と共に封止固定する樹脂モールド部を更に備え、
前記ケーブル保持部の切断刃挿入開口部は、前記樹脂モールド部を形成するモールド樹脂を前記リテーナ嵌合部内に充填するための注入開口部を兼ねるものである
ことを特徴とする請求項１〜３のいずれか１項記載の圧接コネクタ。
【請求項５】
前記ケーブル保持部は、前記フラットケーブルを介して対向配置され前記フラットケーブルをその厚さ方向に挟み込んで挟持固定する分割可能な構造の複数の挟持部材から構成され、
前記複数の挟持部材のうちの一方の挟持部材に形成された係合凹部と、前記複数の挟持部材のうちの他方の挟持部材に形成された、前記係合凹部と係合する係合突起部を有する係合片部とからなる係合部を備えてなる
ことを特徴とする請求項１〜４のいずれか１項記載の圧接コネクタ。
【請求項６】
前記ケーブル保持部は、前記フラットケーブルを介して対向配置され前記フラットケーブルをその厚さ方向に挟み込んで挟持固定する複数の挟持部材と、
これら複数の挟持部材の一方の端部同士を結合するヒンジ部と、
前記複数の挟持部材の他方の端部同士を係合して固定する係合部とを一体的に形成して構成され、
前記係合部は、
前記複数の挟持部材のうちの一方の挟持部材の前記他方の端部に形成された係合凹部と、
前記複数の挟持部材のうちの他方の挟持部材の前記他方の端部に形成された、前記係合凹部と係合する係合突起部を有する係合片部とから構成されている
ことを特徴とする請求項１〜４のいずれか１項記載の圧接コネクタ。
【請求項７】
前記複数の挟持部材は、
前記フラットケーブルとの対向面に前記フラットケーブルを構成する各電線の被覆外周径に合わせて形成された、前記各電線の芯線方向に延び前記各電線の配列方向に複数配列形成された固定溝部を備える
ことを特徴とする請求項５又は６記載の圧接コネクタ。
【発明の詳細な説明】
【０００１】
【発明の属する技術分野】
この発明は、自動車等に用いられるフラットケーブルからなるワイヤハーネスに圧接される圧接端子を備える圧接コネクタに関し、特に電線との圧接作業を容易にすることができると共に電線の回路数を変更することができる圧接コネクタに関する。
【０００２】
【従来の技術】
従来より、電線の被覆を破ることにより電線との導通を図る圧接部を有する圧接端子を収容した圧接コネクタにワイヤハーネスの電線を圧接する場合、圧接専用の治具などを用いた圧接作業が行われている（例えば、特許文献１参照。）。
また、複数の電線を平面状に並設した構造からなるフラットケーブルから構成されるフラットハーネスの電線を圧接コネクタに圧接する場合にも、圧接専用の治具などが用いられることがある（例えば、特許文献２参照。）。
【０００３】
【特許文献１】
実開平７−４１９８２号公報（第６頁、第７−９図）
【特許文献２】
特開平１０−１３４８６１号公報（第３−４頁、第１−７図）
【０００４】
【発明が解決しようとする課題】
しかしながら、特許文献１及び特許文献２に記載の圧接コネクタでは、電線の圧接に圧接専用の治具が必要となると共に、特に特許文献２の圧接コネクタでは、各圧接端子の圧接部にフラットハーネスの電線の位置合わせを行ってから圧接しなければならないため、圧接作業が繁雑となるという問題がある。また、圧接端子に電線を圧接した後に電線が構成する回路を変更等する場合、圧接端子の配置構成を変更したり再度圧接作業を行ったりする必要があるため、作業工数が増えて繁雑化する場合がある。
【０００５】
この発明は、このような問題点に鑑みてなされたもので、圧接コネクタに収容された圧接端子への圧接作業を容易にすることができると共に電線の回路数を変更することができる圧接コネクタを提供することを目的とする。
【０００６】
【課題を解決するための手段】
この発明に係る圧接コネクタは、複数の電線を平面状に並設したフラットケーブルと圧接される金属製の複数の圧接端子と、これら複数の圧接端子を収容する複数の端子収容孔を有するコネクタハウジングと、このコネクタハウジングに嵌合されると共に嵌合前の状態では前記フラットケーブルを嵌合方向と交差する方向に沿って直線状に保持するリテーナとを備え、前記複数の圧接端子は、相手方接続端子と嵌合する嵌合接続部と、この嵌合接続部の基端側に形成され前記電線が挿入されるスリット部を有する圧接部と、これら嵌合接続部及び圧接部の間を連結する端子本体部とを備えて構成され、前記コネクタハウジングは、前記相手方接続端子を収容した他のコネクタハウジングと嵌合するハウジング嵌合部と、前記複数の端子収容孔と連通すると共に前記リテーナが嵌合する環状のリテーナ嵌合壁が形成されたリテーナ嵌合部とを備えて構成され、前記リテーナは、前記リテーナ嵌合部への嵌合時に前記フラットケーブルをその嵌合方向に対して直交する面と平行に保持するケーブル保持部を備えて構成され、前記ケーブル保持部は、前記嵌合時に前記リテーナ嵌合部内で前記圧接部に前記電線を挿入し圧接するための端子側開口部と、前記複数の電線のうちの少なくとも１つの電線を前記ケーブル保持部において切断する切断刃を挿入するための切断刃挿入開口部とを備えてなることを特徴とする。
【０００７】
この発明によれば、コネクタハウジングに取り付けられるリテーナのケーブル保持部に、保持したフラットケーブルの電線をコネクタハウジングに収容した圧接端子に挿入して圧接するための端子開口部を備えたため、このリテーナをコネクタハウジングに装着することで、フラットケーブルの電線と圧接端子の圧接部とを圧接することが可能となる。また、ケーブル保持部に、保持したフラットケーブルの電線のうちの少なくとも１つの電線をケーブル保持部において切断する切断刃を挿入するための切断刃挿入開口部を備えたため、電線の切断を容易に行うことができる。このため、本発明ではフラットケーブルと圧接端子との圧接作業を容易に行うことができると共に圧接コネクタの電線の回路数を変更することが可能となる。
【０００８】
なお、圧接コネクタのそれぞれ対向する一対のリテーナ嵌合壁の内壁面とケーブル保持部の側面とには、例えばリテーナとリテーナ嵌合部との嵌合状態を保持するためのリテーナ係止部が形成されており、リテーナ係止部は、内壁面及び側面のいずれか一方に形成されたリテーナ係止突起と、いずれか他方に形成されたリテーナ係止突起と係合するリテーナ係止凹部とから構成されている。
【０００９】
また、複数の圧接端子の端子本体部は、例えば嵌合接続部及び圧接部の間を両者が同一直線上に並ばないように連結するものである。
【００１０】
ここで、圧接コネクタは、例えばコネクタハウジングとリテーナとの嵌合部分に形成され両者を電線と圧接部との圧接部分と共に封止固定する樹脂モールド部を更に備えていても良く、この場合、ケーブル保持部の切断刃挿入開口部は、樹脂モールド部を形成するモールド樹脂をリテーナ嵌合部内に充填するための注入開口部を兼ねるものである。
【００１１】
なお、リテーナのケーブル保持部としては、以下のようなものでも良い。即ち、ケーブル保持部は、例えばフラットケーブルを介して対向配置されフラットケーブルをその厚さ方向に挟み込んで挟持固定する分割可能な構造の複数の挟持部材から構成されており、複数の挟持部材のうちの一方の挟持部材に形成された係合凹部と、複数の挟持部材のうちの他方の挟持部材に形成された、係合凹部と係合する係合突起部を有する係合片部とからなる係合部を備えてなる。
【００１２】
また、ケーブル保持部は、例えばフラットケーブルを介して対向配置されフラットケーブルをその厚さ方向に挟み込んで挟持固定する複数の挟持部材と、これら複数の挟持部材の一方の端部同士を結合するヒンジ部と、複数の挟持部材の他方の端部同士を係合して固定する係合部とを一体的に形成して構成されており、係合部は、複数の挟持部材のうちの一方の挟持部材の他方の端部に形成された係合凹部と、複数の挟持部材のうちの他方の挟持部材の他方の端部に形成された、係合凹部と係合する係合突起部を有する係合片部とから構成されている。
【００１３】
この場合、複数の挟持部材は、例えばフラットケーブルとの対向面にフラットケーブルを構成する各電線の被覆外周径に合わせて形成された、各電線の芯線方向に延び各電線の配列方向に複数配列形成された固定溝部を備える。
【００１４】
【発明の実施の形態】
以下、添付の図面を参照して、この発明の好ましい実施の形態を説明する。
図１〜図３は、この発明の一実施形態に係る圧接コネクタを説明するための斜視図、図４は、この圧接コネクタのリテーナの展開斜視図、図５は、この圧接コネクタの他のリテーナの展開斜視図、図６は、図３のＡ−Ａ´断面図、図７は、図３のＢ−Ｂ´断面図、図８は、図３のＣ−Ｃ´断面図である。
圧接コネクタ１は、主に例えば樹脂成型部材からなるコネクタハウジング１０と、このコネクタハウジング１０に収容される金属製の複数の圧接端子３０と、コネクタハウジング１０に装着（嵌合）されると共に嵌合前の状態ではフラットケーブル４０を嵌合方向と交差する方向に沿って直線状に保持するコネクタハウジング１０と同じく樹脂成型部材からなるリテーナ２０とを備えて構成されている。
【００１５】
コネクタハウジング１０は、主に圧接端子３０を内部に収容する端子収容孔１１と、圧接端子３０と接続する相手方接続端子（図示せず。以下同じ。）を内部に収容した他のコネクタハウジング（図示せず。以下同じ。）と嵌合するハウジング嵌合部１２と、端子収容孔１１と連通しリテーナ２０が内部に嵌合する環状のリテーナ嵌合壁１３が形成されたリテーナ嵌合部１４とを備えて構成されている。
【００１６】
リテーナ２０に保持されるフラットケーブル４０は、この例では絶縁被覆４１に芯線４２が覆われた複数の電線４３を平面状に並設し、各電線４３の間を絶縁被覆４１と同じく絶縁樹脂からなるブリッジ部４４で連結した構造からなり、可撓性を備えて構成されている。なお、圧接端子３０の後述する圧接部との圧接を容易にするために、フラットケーブル４０の少なくともリテーナ２０に保持される部分には、ブリッジ部４４に該当する部分にスリット４５が形成されている。このフラットケーブル４０としては、例えば単体からなる複数の電線４３をブリッジ部４４で連結せずに各々独立して平面状に並設したものでも良い。
【００１７】
コネクタハウジング１０の端子収容孔１１に収容される圧接端子３０は、図６に示すように、例えば相手方接続端子が嵌合する筒状の嵌合接続部３１と、この嵌合接続部３１の基端側に形成されフラットケーブル４０の電線４３が挿入されるスリット部３２を有する圧接部３３と、これら嵌合接続部３１及び圧接部３３の間を、例えば両者が同一直線上に並ばないように連結する端子本体部３４とを備えて構成されている。なお、嵌合接続部３１には、例えば相手方接続端子との接続状態を良好にするための弾性接触片３５が形成されている。
【００１８】
一方、リテーナ２０は、コネクタハウジング１０のリテーナ嵌合部１４への嵌合時にフラットケーブル４０をその嵌合方向に対して直交する面と平行に保持する板状のケーブル保持部２１を備えて構成されている。この例のケーブル保持部２１は、例えばフラットケーブル４０をその厚さ方向に挟み込んで挟持固定する矩形板状の第１挟持部材２２及び矩形枠状の第２挟持部材２３（図４参照）と、これら第１及び第２挟持部材２２，２３の一方の端部同士を結合するヒンジ部２４と、第１及び第２挟持部材２２，２３の他方の端部同士を係合して固定する係合部２５とを一体的に形成して構成されている。なお、係合部２５は、例えば第１挟持部材２２のヒンジ部２４側と反対側の端部に形成された係合凹部２６と、第２挟持部材２３のヒンジ部２４側と反対側の端部に形成された、係合凹部２６と係合する係合突起部２８を有する係合片部２７とから構成されている。ここで、例えば第１及び第２挟持部材２２，２３は、ヒンジ部２４で一体的に連結された構造以外に、図５に示すように、互いに分割可能な構造からなるものでも良い。この場合、係合部２５は、例えば第１及び第２挟持部材２２，２３のうちの一方（ここでは第１挟持部材２２）の端部に対角状に形成された係合凹部２６と、他方（ここでは第２挟持部材２３）の端部に係合凹部２６と対応する対角状に形成された係合片部２７とから構成されていると良い。このように構成された係合部２５では、両挟持部材２２，２３を確実に一体的に係合可能である。
【００１９】
なお、このケーブル保持部２１の第２挟持部材２３には、圧接端子３０の圧接部３３にフラットケーブル４０の電線４３を挿入して圧接するための端子側開口部２３ａが形成されている。また、第１挟持部材２２には、保持したフラットケーブル４０の各電線４３のうちの少なくとも１つの電線４３をケーブル保持部２１において切断する切断刃９９（図６参照）を挿入するための切断刃挿入開口部２２ｂと、圧接部３３と電線４３との圧接時に、圧接部３３が第１挟持部材２２に当接しないようにするための逃げ凹み部２２ａとが形成されている。なお、このケーブル保持部２１では、第２挟持部材２３の第１挟持部材２２の切断刃挿入開口部２２ｂと対応する部分に切断刃挿通開口部２３ｂが形成されており、切断刃９９がケーブル保持部２１を切断刃挿入開口部２２ｂ及び切断刃挿通開口部２３ｂを通して貫通する構造となっている。そして、第１及び第２挟持部材２２，２３のそれぞれの対向端部には、例えばフラットケーブル４０を構成する各電線４３の被覆外周径に合わせて形成された各電線４３の芯線４２方向に延びると共に各電線４３の配列方向に複数配列形成された、各電線４３を安定して確実にケーブル保持部２１で保持するための固定溝部２１ｃが備えられている。
【００２０】
また、ケーブル保持部２１の第１挟持部材２２の一対の側面には、例えばフラットケーブル４０の各電線４３の被覆外周径に合わせて複数形成されたリテーナ側凹部２１ａが備えられており、コネクタハウジング１０のリテーナ嵌合部１４においてリテーナ２０がリテーナ嵌合部１４に嵌合した際に、これらリテーナ側凹部２１ａと対向するリテーナ嵌合壁１３の一対の内壁面には、同じくフラットケーブル４０の各電線４３の被覆外周径に合わせて複数形成されたハウジング側凹部１３ａが備えられている。このように、ケーブル保持部２１とリテーナ嵌合壁１３とにリテーナ側凹部２１ａ及びハウジング側凹部１３ａが備えられていると、これらリテーナ側凹部２１ａ及びハウジング側凹部１３ａで、リテーナ２０のリテーナ嵌合部１４への嵌合時にケーブル保持部２１がその嵌合方向に対して直交する面と平行に保持していたフラットケーブル４０を、図２に示すような屈曲した状態に保持することができるため、圧接コネクタ１のリテーナ嵌合部１４内における圧接端子３０の圧接部３３とフラットケーブル４０の電線４３との圧接部分に対して、いわゆるストレインリリーフ構造を具備させることが可能となる。
【００２１】
なお、図３に示すように、リテーナ２０とコネクタハウジング１０とで屈曲状態に保持したフラットケーブル４０を、例えばリテーナ嵌合壁１３の周縁部で再び折り曲げるようにすれば、圧接端子３０の圧接部３３とフラットケーブル４０の電線４３との圧接部分に対して更に強いストレインリリーフ構造を具備することが可能となる。
【００２２】
また、リテーナ２０のケーブル保持部２１とリテーナ嵌合部１４のリテーナ嵌合壁１３におけるリテーナ側凹部２１ａ及びハウジング側凹部１３ａが形成された以外の側面及び内壁面には、リテーナ係止部１９が形成されている。このリテーナ係止部１９は、例えばケーブル保持部２１の第１挟持部材２２の側面に形成されたリテーナ係止突起２１ｂと、リテーナ嵌合壁１３の内壁面に形成されたリテーナ係止突起２１ｂと係合するリテーナ係止凹部１３ｂとから構成されている。このように構成されたリテーナ係止部１９により、リテーナ２０とコネクタハウジング１０との嵌合状態を確実に維持することができる。
【００２３】
このように構成された圧接コネクタ１では、例えばフラットケーブル４０を保持したリテーナ２０の第１挟持部材２２の切断刃挿入開口部２２ｂに切断刃９９を挿入し、フラットケーブル４０の各電線４３が構成する回路を、所定の電線４３を切断することにより変更等した後、リテーナ２０を図１中矢印で示す方向に移動させてコネクタハウジング１０に装着するだけで、フラットケーブル４０の回路数を任意に変更して電線４３を圧接端子３０の圧接部３３に挿入して圧接することができる。このため、フラットケーブル４０と圧接端子３０との圧接作業を容易に行うことができると共にフラットケーブル４０の電線４３の回路数を任意に変更することができる圧接コネクタ１を実現することが可能となる。
【００２４】
図９は、この圧接コネクタ１の更に他のリテーナを示す斜視図、図１０は、図９のリテーナを装着した圧接コネクタを示す断面図である。なお、以降において、既に説明した部分と重複する説明は割愛する。
このリテーナ２０´は、第１挟持部材２２の切断刃挿入開口部２２ｂの切断刃９９挿入側開口周縁部２２ｄが、第１挟持部材２２の板面２２ｅに対して凸型のリブ状に形成されている点が、先の例のリテーナ２０と相違している。このリテーナ２０´では、例えば切断刃９９を、切断刃挿入開口部２２ｂの挿入側開口周縁部２２ｄの端部に当接する段部９９ａを備えると共に、切断刃挿入開口部２２ｂに嵌る刃本体部９９ｂを備えるように構成することにより、切断刃９９の挿入時に段部９９ａが挿入側開口周縁部２２ｄに当接して刃本体部９９ｂの切断刃挿入開口部２２ｂへの挿入量が決定される構造を実現することができるため、刃本体部９９ｂのケーブル保持部２１への挿入量を調整してより安全且つ確実な電線４３の切断作業を行うことができるようになる。
【００２５】
図１１は、この発明の他の実施形態に係る圧接コネクタを説明するための斜視図、図１２は、図１１のＤ−Ｄ´断面図である。
この圧接コネクタ１ａは、コネクタハウジング１０とリテーナ２０の他に、これらの嵌合部分を圧接端子３０の圧接部３３とフラットケーブル４０の電線４３との圧接部分と共に封止固定する樹脂モールド部７０が形成されている点が、先の例の圧接コネクタ１と相違している。この樹脂モールド部７０は、リテーナ２０の第１挟持部材２２の切断刃挿入開口部２２ｂからリテーナ２０が嵌合したコネクタハウジング１０のリテーナ嵌合部１４内を満たすようにモールド樹脂を充填することにより形成されている。この樹脂モールド部７０により、コネクタハウジング１０とリテーナ２０との嵌合部分を圧接部３３と電線４３との圧接部分と共に更に確実に固定することが可能となる。その他の効果については上述した圧接コネクタ１と同様であるため、ここでは説明を省略する。
【００２６】
【発明の効果】
以上述べたように、この発明によれば、コネクタハウジングに取り付けられるリテーナのケーブル保持部に、保持したフラットケーブルの電線をコネクタハウジングに収容した圧接端子に挿入して圧接するための端子開口部を備えたため、このリテーナをコネクタハウジングに装着することで、フラットケーブルの電線と圧接端子の圧接部とを圧接することが可能となる。また、ケーブル保持部に、保持したフラットケーブルの電線のうちの少なくとも１つの電線をケーブル保持部において切断する切断刃を挿入するための切断刃挿入開口部を備えたため、電線の切断を容易に行うことができる。このため、本発明ではフラットケーブルと圧接端子との圧接作業を容易に行うことができると共に圧接コネクタの電線の回路数を変更することが可能となる。
【図面の簡単な説明】
【図１】この発明の一実施形態に係る圧接コネクタを説明するための斜視図である。
【図２】同圧接コネクタを説明するための斜視図である。
【図３】同圧接コネクタを説明するための斜視図である。
【図４】同圧接コネクタのリテーナの展開斜視図である。
【図５】同圧接コネクタの他のリテーナの展開斜視図である。
【図６】図３のＡ−Ａ´断面図である。
【図７】図３のＢ−Ｂ´断面図である。
【図８】図３のＣ−Ｃ´断面図である。
【図９】同圧接コネクタの更に他のリテーナを示す斜視図である。
【図１０】図９のリテーナを装着した圧接コネクタを示す断面図である。
【図１１】この発明の他の実施形態に係る圧接コネクタを説明するための斜視図である。
【図１２】図１１のＤ−Ｄ´断面図である。
【符号の説明】１，１ａ…圧接コネクタ、１０…コネクタハウジング、１１…端子収容孔、１２…ハウジング嵌合部、１３…リテーナ嵌合壁、１４…リテーナ嵌合部、２０…リテーナ、２１…ケーブル保持部、２２…第１挟持部材、２３…第２挟持部材、２４…ヒンジ部、２５…係合部、３０…圧接端子、３１…嵌合接続部、３３…圧接部、３４…端子本体部、４０…フラットケーブル、４１…絶縁被覆、４２…芯線、４３…電線、７０…樹脂モールド部。
【図１】
2004362816.tif 000003
【図２】
2004362816.tif 000004
【図３】
2004362816.tif 000005
【図４】
2004362816.tif 000006
【図５】
2004362816.tif 000007
【図６】
2004362816.tif 000008
【図７】
2004362816.tif 000009
【図８】
2004362816.tif 000010
【図９】
2004362816.tif 000011
【図１０】
2004362816.tif 000012
【図１１】
2004362816.tif 000013
【図１２】
2004362816.tif 000014